(57)【要約】【課題】生体の所定部位に巻き付けて使用する際に、外装袋において弊害となる皺の発生を防止し、しかも生体の皮膚面に対する細かい皺の伝達を防止して、生体の皮膚に対する局部的な強い摩擦による皮下出血の発生を確実に防止し、生体の所定部位に対する適正な密着固定を容易に達成することができる血圧測定用カフを提供する。【解決手段】外装袋１０の内部に膨張袋２０を収納してなる血圧測定用カフにおいて、前記膨張袋を収納する外装袋の内周面側１０ａの内面と前記膨張袋２０の内周面側との間に、第１の滑りシート１４を可動自在に配置すると共に、前記外装袋１０の内周側面１０ａの外側に第２の滑りシート１６を、その長手方向の両端部１６ａ、１６ｂにおいて前記外装袋１０に結合した構成からなる。【選択図】図１
2008099944.tif 000002
【特許請求の範囲】
【請求項１】
外装袋の内部に膨張袋を収納してなる血圧測定用カフにおいて、前記膨張袋を収納する外装袋の内周側面の内面と前記膨張袋の内周面側との間に、第１の滑りシートを可動自在に配置すると共に、前記外装袋の内周側面の外側に第２の滑りシートを、その長手方向の両端部において前記外装袋に結合してなることを特徴とする血圧測定用カフ。
【請求項２】
前記第１の滑りシートは、折り癖の付きにくい滑りの良いシート部材を使用することを特徴とする請求項１記載の血圧測定用カフ。
【請求項３】
前記第２の滑りシートは、薄手にして滑りの良いシート部材を使用することを特徴とする請求項１記載の血圧測定用カフ。
【請求項４】
前記第１の滑りシートは、外装袋の内周側面を２重袋構造とし、この２重袋内に可動自在に収納することを特徴とする請求項１または２記載の血圧測定用カフ。
【請求項５】
前記第２の滑りシートは、外装袋の内周側面の外側の長手方向に対し、同一または短い寸法となるように結合することを特徴とする請求項１または３記載の血圧測定用カフ。
【請求項６】
前記第２の滑りシートは、さらに伸縮性を有することを特徴とする請求項１、３または５記載の血圧測定用カフ。
【請求項７】
前記第２の滑りシートは、その長手方向のほぼ中位部の上下端部において、前記外装袋の外周側面を横切ってこれを保持するように延在する支持帯を固着することを特徴とする請求項１、３、５または６記載の血圧測定用カフ。
【発明の詳細な説明】
【技術分野】
【０００１】
本発明は、生体の一部である上腕部等に巻き付けて、生体の一部を圧迫することにより血圧の測定を行うために使用する血圧測定用カフに関するものである。
【背景技術】
【０００２】
一般的に、血圧測定用カフは、合成樹脂繊維布を使用した丈夫で伸縮性の殆どない長方形状の外装袋からなり、この外装袋の内部にその長手方向に延在するようにゴム製の膨張袋を収容し、この膨張袋に対して外部から空気の注入および排出を行うことによって膨張および収縮を行うように構成し、さらに前記外装袋の外側面の適所に面ファスナーを縫着して、生体の上腕部に着脱自在に巻き付け装着し得るように構成したものが知られている。
【０００３】
このような血圧測定用カフにより生体の血圧を測定するには、血圧測定装置と結合して使用される。この場合、前記血圧測定用カフを生体の所定部位に巻き付け、この状態で膨張袋内に空気を供給して、前記生体の所定部位を圧迫することにより、血圧測定が行われる。
【０００４】
しかるに、前述したように、血圧測定用カフは外装袋の内部に膨張袋を収容した二重構造であることから、互いに同じ形状とされた外装袋の外周側シートと内周側シートとが接合されているため、カフが生体に巻き付けられて膨張袋が膨張させられると、前記内周側シートには皺が生じ易く、この皺のために動脈を適切に圧迫できなくなるという問題があった。
【０００５】
このような問題を解決するため、前記外装袋の内周側シートの長手方向長さが、外周側シートの長手方向長さよりも短くなるように構成した血圧測定用二重カフが提案されている（特許文献１参照）。すなわち、特許文献１に開示される血圧測定用二重カフは、内周側シートの長手方向長さが、外周側シートの長手方向長さよりも短くされているので、二重カフが生体の所定部位に巻き付けられたときに、内周側シートに生じる皺が少なくなると共に、動脈を適切に圧迫するので、正確な脈波を検出できるものである。
【０００６】
また、前述したように、生体への巻き付け時において、カフ帯の内側に発生する皺を防止するため、カフ帯を構成する袋体の測定部位に位置する部分に、弾性体を添設したカフ帯が提案されている（特許文献２参照）。すなわち、特許文献２に開示されるカフ帯は、前記弾性体を添設した袋体の測定部位は、他の部位よりも厚み寸法が厚くなり皺ができ難くなるものである。従って、腕のような動脈等を圧迫したい部位に、前記弾性体を添設することによって、皺による圧迫能力の低下を防止することができるものである。
【０００７】
一方、カフ帯内に配設される膨張袋としての阻血袋は、これに空気を充填すると、四隅
の膨らみと中央部分の膨らみとがそれぞれ大きく異なるために、腕や手首に巻かれた形状となった時に、内側に多くの皺が生じて、この皺の部分で圧迫特性が悪くなったり、また皺の部分で皮膚をはさんでしまうことで皮膚にうっ血を生じさせたりしてしまうことから、前記阻血袋の外シートと、この外シートとの対向面側に凹部を備えた内シートとの、周縁同士を接着して袋状とし、うちシートは張力が加えられた状態で外シートに接着されるように構成した血圧計の阻血袋が提案されている（特許文献３参照）。すなわち、特許文献３に開示される阻血袋は、内シートが外シートとの対向面側に凹部を備えた形状となっているために、膨張時における各部の膨らみの差が小さいものであり、装着時に内シートに張力を加えられていることから、この張力を除けば内シート側を内面側とする円弧状となるために、内側に皺を生じ難いものとしたものである
【０００８】
さらに、血圧測定に際して、脈波の振幅の立ち上がり点を明確にするために、動脈を駆血するための駆血用袋（アウターカフ）と、その動脈からの脈波を検出するための脈波検出用袋（インナーカフ）の２つの袋を備えたカフが提案されている。この種のカフにおいては、アウターカフに生じた振動がインナーカフに伝達されることから、インナーカフの外側に振動遮蔽板が設けられる。この場合、血圧測定において、カフ内の圧力が徐速変化するときに、インナーカフが振動遮蔽板に対し相対移動して擦れ合い、これにより発生するノイズを防止するために、前記インナーカフと振動遮蔽板との間に、相互の接触を防止する布製の隔離部材を介在させる血圧測定用二重カフが提案されている（特許文献４参照）。すなわち、特許文献４に開示される血圧測定用二重カフは、前記布製の隔離部材としての滑り布を設けることにより、前記インナーカフと振動遮蔽板との間の摩擦係数を小さくすることができ、ノイズの発生を減少させることができるものである。
【０００９】
さらにまた、前述したようなアウターカフ（圧迫袋）とインナーカフ（膨張袋）とからなる血圧測定用二重カフにおいて、生体の血圧測定に際し、圧迫袋の内周面と生体の皮膚との間の局部的な強い摩擦などによって、圧迫袋が巻回された生体の皮膚に、皮下出血が局部的に発生する場合があることから、前記圧迫袋の内周側シート部材のうち、少なくとも前記膨張袋の内側に位置する部分を、相互に分離しかつ重ねられた２層の部材から構成した血圧測定用圧迫帯が提案されている（特許文献５参照）。すなわち、特許文献５に開示される血圧測定用圧迫帯は、前記圧迫袋の内周側シート部材につき、相互に分離しかつ重ねられた２層の部材とすることにより、２層の部材のうちの皮膚に密着する皮膚側の部材と膨張袋側の部材との間の相互間の面方向のずれが許容され、あるいは２層の部材のうちの膨張袋側の部材を膨張袋と滑りやすい部材を用いることができるので、圧迫帯に圧迫される生体の皮膚に対する局部的な強い摩擦に起因する皮下出血の発生を防止することができるものである。
【００１０】
【特許文献１】特開２００４−１９５０７４号公報
【特許文献２】特開平９−１１７４１８号公報
【特許文献３】特開平３−８２４４０号公報
【特許文献４】特許第３６６７３２６号公報
【特許文献５】特開２０００−５１１５８号公報
【発明の開示】
【発明が解決しようとする課題】
【００１１】
しかしながら、従来の血圧測定用カフにおいては、血圧測定に際して生体の所定部位に巻き付けて生体の皮膚に密着させた場合に、前述した特許文献１ないし特許文献４に記載のカフ構造では、カフの内面側において皺の発生を極力防止しようとするものであり、例えば生体の皮膚に対する局部的な強い摩擦による皮下出血の発生を直接防止することについては未解決であり、満足するものではない。また、特許文献５に記載のカフ構造では、圧迫袋の内周側シート部材を相互に分離しかつ重ねられた２層の部材とするだけでは、膨張袋の膨張により外装袋の内周側に発生する皺や、生体の皮膚に対する局部的な強い摩擦による皮下出血の発生を、直接的にしかも十分かつ確実に防止することは困難である。
【００１２】
従って、本発明の目的は、外装袋において弊害となる皺の発生を防止し、しかも生体の皮膚面に対する細かい皺の伝達を防止して、生体の皮膚に対する局部的な強い摩擦による皮下出血の発生を確実に防止し、生体の所定部位に対する適正な密着固定を容易に達成することができる血圧測定用カフを提供することにある。
【課題を解決するための手段】
【００１３】
前記の目的を達成するため、本発明の請求項１に記載の血圧測定用カフは、外装袋の内部に膨張袋を収納してなる血圧測定用カフにおいて、前記膨張袋を収納する外装袋の内周側面の内面と前記膨張袋の内周面側との間に、第１の滑りシートを可動自在に配置すると共に、前記外装袋の内周側面の外側に第２の滑りシートを、その長手方向の両端部において前記外装袋に結合してなることを特徴とする血圧測定用カフ。
【００１４】
本発明の請求項２に記載の血圧測定用カフは、前記第１の滑りシートが、折り癖の付きにくい滑りの良いシート部材を使用することを特徴とする。
【００１５】
本発明の請求項３に記載の血圧測定用カフは、前記第２の滑りシートが、薄手にして滑りの良いシート部材を使用することを特徴とする。
【００１６】
本発明の請求項４に記載の血圧測定用カフは、前記第１の滑りシートが、外装袋の内周側面を２重袋構造とし、この２重袋内に可動自在に収納することを特徴とする。
【００１７】
本発明の請求項５に記載の血圧測定用カフは、前記第２の滑りシートが、外装袋の内周側面の外側の長手方向に対し、同一または短い寸法となるように結合することを特徴とする。
【００１８】
本発明の請求項６に記載の血圧測定用カフは、前記第２の滑りシートが、さらに伸縮性を有することを特徴とする。
【００１９】
本発明の請求項７に記載の血圧測定用カフは、前記第２の滑りシートが、その長手方向のほぼ中位部の上下端部において、前記外装袋の外周側面を横切ってこれを保持するように延在する支持帯を固着することを特徴とする。
【発明の効果】
【００２０】
本発明の請求項１に記載の血圧測定用カフによれば、外装袋の内部に膨張袋を収納してなる血圧測定用カフにおいて、膨張袋と外装袋の内周側面の内面との間および外装袋の内周側面の外側に対して、第１の滑りシートと第２の滑りシートを設けることにより、これを生体の所定部位に巻き付けて使用する際に、外装袋における弊害となる皺の発生を有効に防止することができると共に、生体の皮膚面に対する細かい皺の伝達を防止して、生体の皮膚に対する局部的な強い摩擦による皮下出血の発生を確実に防止し、生体の所定部位に対する適正な密着固定を容易に達成することができる。
【００２１】
本発明の請求項２および４に記載の血圧測定用カフによれば、第１の滑りシートを、公知の素材から有効かつ低コストに選択して採用することができ、しかも簡単な構成配置により実現することができる。
【００２２】
本発明の請求項３および５に記載の血圧測定用カフによれば、第２の滑りシートについても、第１の滑りシートと同様に、公知の素材から有効かつ低コストに選択して採用することができ、しかも簡単な構成配置により実現することができる。
【００２３】
本発明の請求項６に記載の血圧測定用カフによれば、第２の滑りシートを、より有効なものとすることができる。
【００２４】
本発明の請求項７に記載の血圧測定用カフによれば、血圧測定用カフとしての取り扱いを、より簡便にすることができる。
【発明を実施するための最良の形態】
【００２５】
次に、本発明に係る血圧測定用カフの実施態様につき、添付図面を参照しながら以下詳細に説明する。
【００２６】
図１および図２は、本発明に係る血圧測定用カフの一実施例を示す概略説明図であって、図１は血圧測定用カフの内周側面の外観構成であり、図２は血圧測定用カフの外周側面の外観構成である。
【００２７】
図１および図２において、参照符号１０は血圧測定用カフの外装袋を示し、この外装袋１０は、例えば合成樹脂繊維等からなる強靭にして伸縮性の殆どないシート部材を使用して縫着等によって袋状に製造される。前記外装袋１０の長手方向の一側縁部には、開口１２が設けられ、この開口１２を介して空気の供給により膨張を行うゴム製の膨張袋２０が、前記外装袋１０の内部に出し入れ自在に収納される。なお、参照符号２２は、前記膨張袋２０に接続される空気の供給排出を行う空気チューブを示す。
【００２８】
図１において、外装袋１０の内周側面１０ａの一部には、図示のように、外装袋１０の内周側面１０ａの内面と前記膨張袋２０の内周面側との間に、第１の滑りシート１４を可動自在に配置する（詳細については後述する）と共に、前記外装袋１０の内周側面１０ａの外側に第２の滑りシート１６を、その長手方向の両端部１６ａ、１６ｂにおいて前記外装袋１０の内周側面１０ａに縫着等により結合されている。
【００２９】
また、図２において、前記外装袋１０の内周側面１０ａに結合された第２の滑りシート１６には、その長手方向のほぼ中位部の上下端部１６ｃ，１６ｄにおいて、前記外装袋１０の外周側面１０ｂを横切ってこれを保持するように延在し、第２の滑りシート１６がカフの外装袋１０の内周よりはみ出さないように支持帯１８が縫着等により固着されている。この場合、前記支持帯１８は、単一のみならず複数設けることができる。また、支持帯１８の幅は、カフの外装袋１０の幅と同等もしくはそれ以上とする。
【００３０】
なお、図１および図２に示す実施例において、前記第２の滑りシート１６は、外装袋１０の内周側面１０ａの外側の長手方向に対し、同一寸法または多少短い寸法となるようにして結合することができる。また、外装袋１０の内周側面１０ａおよび外周側面１０ｂには、図示するように、相互に接合離反する面ファスナ３０ａ、３０ｂが適宜縫着等により取り付けられる。
【００３１】
図３は、前記図１のＡ−Ａ線断面を示すものである（支持帯１８は図示せず）。この場合、前述したように、前記第１の滑り布１４を、外装袋１０の内周側面１０ａの内面と前記膨張袋２０の内周面側との間に、直接可動自在に収納したものである。なお、図１および図２に示す構成部材と同一の構成部材には、同一の参照符号を付し、その詳細な説明は省略する。
【００３２】
本実施例において、前記第１の滑りシート１４は、面ファスナ素材、ナイロン、ポリエステル等の合成繊維や反発弾性を有する折り癖の付きにくい滑りの良いシート部材を使用する。また、前記第２の滑りシート１６は、綿布、絹布、人絹布、ナイロン、レーヨン、ポリエステル等の合成繊維からなる薄手にして滑りの良いシート部材を使用する。なお、前記第２の滑りシート１６については、さらに伸縮性を有するものを使用することができる。
【００３３】
図４は、前述した図３に示す実施例の変形例を示すものである（支持帯１８は図示せず）。すなわち、この実施例においては、外装袋１０の内周側面１０ａの内面と前記膨張袋２０の内周面側との間に、第１の滑りシート１４を可動自在に配置する場合、外装袋１０の内周側面１０ａを２重袋構造とし、この２重袋内に可動自在に収納する。その他の構成は、前述した図３に示す実施例と全く同様である。このように構成することによっても、前記実施例と同様の効果を得ることができる。
【００３４】
前述した構成からなる本発明に係る血圧測定用カフによれば、膨張袋２０と外装袋１０の内周側面１０ａの内面との間および外装袋１０の内周側面１０ａの外側に対して、第１の滑りシート１４と第２の滑りシート１６をそれぞれ設けることにより、これを生体の所定部位に巻き付けて使用する際に、外装袋１０において弊害となる皺の発生を有効に防止することができると共に、生体の皮膚面に対する細かい皺の伝達を防止して、生体の皮膚に対する局部的な強い摩擦による皮下出血の発生を確実に防止し、生体の所定部位に対する適正な密着固定を容易に達成することができる。
【００３５】
以上、本発明の好適な実施例について説明したが、本発明は前記実施例に限定されることなく、本発明の精神を逸脱しない範囲内において多くの設計変更を行うことが可能である。
【図面の簡単な説明】
【００３６】
【図１】本発明に係る血圧測定用カフの一実施例であって内周側面の外観構成を示す概略説明図である。
【図２】図１に示す本発明に係る血圧測定用カフの外周側面の外観構成を示す概略説明図である。
【図３】図１に示す本発明に係る血圧測定用カフのＡ−Ａ線概略断面図である。
【図４】本発明に係る血圧測定用カフの別の実施例を示す図３と同様の概略断面図である。
【符号の説明】
【００３７】
１０  外装袋
１０ａ  外装袋の内周側面
１０ｂ  外装袋の外周側面
１２  開口
１４  第１の滑りシート
１６  第２の滑りシート
１６ａ、１６ｂ  長手方向の両端部
１６ｃ、１６ｄ  上下端部
１８  支持帯
２０  膨張袋
２２  空気チューブ
３０ａ、３０ｂ  面ファスナ
【図１】
2008099944.tif 000003
【図２】
2008099944.tif 000004
【図３】
2008099944.tif 000005
【図４】
2008099944.tif 000006